(57)【要約】【課題】  全体的な長さを短くできると共に、その厚さを薄くすることができる携帯機器のスライド機構及びその携帯機器のスライド機構を備えた携帯電話機を提供する。【解決手段】  第１筐体１１に固着され、スライドする直線方向に貫通するガイド溝６を１つ又は２つ以上有するベース部材２と、第２筐体１２に固着され、ガイド溝６にスライド係合するスライダー３と、ベース部材２と第１筐体１１との間に設けられ、一端部がベース部材２に連結されると共に他端部がスライダー３に連結され、このスライダー３を所定の開閉位置から閉成方向又は開成方向にスライド付勢する付勢手段４と、を備えたことにより、前記課題を解決した。また、ガイド溝６が、ベース部材２に２つ設けられ、これらガイド溝６に、スライダー３がそれぞれ個別にスライド係合していることが好ましい。【選択図】        図１
2006270804.tif 000002
【特許請求の範囲】
【請求項１】
携帯機器を構成する第１筐体と第２筐体を互いに重ね合わせた状態で相対的に直線方向に開閉可能にスライドさせるスライド機構であって、
前記第１筐体と前記第２筐体のいずれか一方の筐体に固着され、前記直線方向に貫通するガイド溝を１つ又は２つ以上有するベース部材と、前記第１筐体と前記第２筐体のいずれか他方の筐体に固着され、前記ガイド溝にスライド係合するスライダーと、前記ベース部材と前記一方の筐体との間に設けられ、一端部が前記ベース部材に連結されると共に他端部が前記スライダーに連結され、このスライダーを所定の開閉位置から閉成方向又は開成方向にスライド付勢する付勢手段とを備えたことを特徴とする、携帯機器のスライド機構。
【請求項２】
前記ガイド溝が、前記ベース部材に２つ設けられ、これらガイド溝に、前記スライダーがそれぞれ個別にスライド係合していることを特徴とする、請求項１に記載の携帯機器のスライド機構。
【請求項３】
前記ガイド溝には、前記スライダーのスライドをガイドするガイド部材が設けられていることを特徴とする、請求項１又は２に記載の携帯機器のスライド機構。
【請求項４】
前記付勢手段が、トーションバネであり、このトーションバネの一端部が前記ベース部材に枢支されていると共に、その他端部が前記スライダーに枢支されていることを特徴とする、請求項１〜３のいずれか１項に記載の携帯機器のスライド機構。
【請求項５】
前記ガイド溝が２つ設けられ、これらガイド溝が前記ベース部材の両側部近傍に配置され、これらガイド溝にそれぞれ個別にスライダーがスライド係合し、前記付勢手段が２つのトーションバネからなり、これらトーションバネのうちの一方のトーションバネの一端部が前記ベース部材の略中央部に枢支されていると共にその他端部が前記スライダーの一方に枢支され、他方のトーションバネの一方のトーションバネの一端部が前記ベース部材の略中央部に枢支されていると共にその他端部が前記スライダーの他方に枢支されていることを特徴とする、請求項１〜４のいずれか１項に記載の携帯機器のスライド機構。
【請求項６】
前記請求項１〜５のいずれか１項に記載の携帯機器のスライド機構を備えたことを特徴とする、携帯電話機。
【発明の詳細な説明】
【技術分野】
【０００１】
本発明は、携帯機器を構成する第１筐体と第２筐体を互いに重ね合わせた状態で相対的に直線方向に開閉可能にスライドさせる際に用いられて好適な携帯機器のスライド機構及びその携帯機器のスライド機構を備えた携帯電話機に関するものである。
【背景技術】
【０００２】
携帯機器の一種である携帯電話機において、キーボード部やマイク部等を上面に設けた送話部としての第１筐体と、ディスプレイ部やスピーカー部等を上面に設けた受話部としての第２筐体とを有し、これらの第１筐体と第２筐体が完全に重なり合って第２筐体で第１筐体の上面を覆う閉成状態と、第２筐体を第１筐体に対して長手方向へスライドさせて第１筐体の上面を露出させる開成状態とを作り出す、スライド機構付きのものが市場に出回っている。このようなスライド機構を有する携帯電話機としては、下記する特許文献１に記載されたものが公知である。
【特許文献１】特開２００３−１２５０５２号公報
【発明の開示】
【発明が解決しようとする課題】
【０００３】
この特許文献１に記載されたものは、スライドカバーとロックプレートを重ね合わせて固着したスライドケースを第２筐体の下面に取り付けると共に、スライドケース内に摺動可能に収装したスライダーを第１筐体の上面に取り付けることで、第２筐体を第１筐体に対してスライドさせることができるという構成のものであった。このような構成であると、第１筐体と第２筐体の相対的操作、即ち、スライド操作は全て手動で行わなくてはならず、操作性の点で難点があった。このため、本出願人は先に、半自動でスライド操作を行えるスライド機構を提案した。
【０００４】
このスライド機構は、例えば、第１筐体の上面に取り付けられるベース部材と、そのベース部材に摺動可能に係合されたスライダーと、ベース部材とスライダーとの間に設けられ、スライダーをベース部材に対する所定の摺動位置から閉方向及び又は開方向へ摺動付勢させる付勢手段とで構成されており、スライダーがベース部材に対する所定の摺動位置から閉方向又は開方向へ摺動付勢されるので、第１筐体と第２筐体を相対的な所定のスライド位置から自動的に開閉できるものである。
【０００５】
このスライド機構においてベース部材の両側部にスライダーの両側部をスライド係合させるために、スライダーの長さ（スライド方向の長さ）が長くなる。すなわち、スライダーの幅は、ベース部材の幅と同じか略同じであるので、強度を確保するためには、スライダーの長さを長くする必要がある。このように、スライダーの長さが長くなると、ベース部材の長さ（スライド方向の長さ）も長くなって全体的に長さが長くなる。
【０００６】
また、付勢手段は、ベース部材とスライダーの間に設けられている。すなわち、付勢手段は、ベース部材とスライダーとで挟持されているために、ベース部材とスライダーが互いにスライドするときに、付勢手段がベース部材やスライダーに接触しないように、ベース部材と付勢手段の間及びスライダーと付勢手段の間のクリアランスが多くなる。その結果、スライド機構としての全体的な厚さが厚くなる。
【０００７】
本発明は、前記課題を解決するためになされたものであって、その目的は、全体的な長さを短くできると共に、その厚さを薄くすることができる携帯機器のスライド機構及びその携帯機器のスライド機構を備えた携帯電話機を提供することにある。
【課題を解決するための手段】
【０００８】
前記の目的を達成するための本発明に係る携帯機器のスライド機構は、携帯機器を構成する第１筐体と第２筐体を互いに重ね合わせた状態で相対的に直線方向に開閉可能にスライドさせるスライド機構であって、前記第１筐体と前記第２筐体のいずれか一方の筐体に固着され、前記直線方向に貫通するガイド溝を１つ又は２つ以上有するベース部材と、前記第１筐体と前記第２筐体のいずれか他方の筐体に固着され、前記ガイド溝にスライド係合するスライダーと、前記ベース部材と前記一方の筐体との間に設けられ、一端部が前記ベース部材に連結されると共に他端部が前記スライダーに連結され、このスライダーを所定の開閉位置から閉成方向又は開成方向にスライド付勢する付勢手段とを備えたことを特徴とする。
【０００９】
この発明によれば、ベース部材と一方の筐体との間に付勢手段を設けたことにより、ベース部材とスライダーとが互いにスライドするとき、ベース部材と付勢手段の間のクリアランスのみを設ければよいので、全体的な厚さを薄くすることができる。
【００１０】
本発明に係る携帯機器のスライド機構において、前記ガイド溝が、前記ベース部材に２つ設けられ、これらガイド溝に、前記スライダーがそれぞれ個別にスライド係合していることが好ましい。この発明によれば、スライダーは、ガイド溝にそれぞれ個別に設けられているために、スライダーの幅を短くすることができるので、スライダーの長さ（スライド方向の長さ）を短くすることができ、全体的な長さを短くできる。
【００１１】
また、本発明に係る携帯機器のスライド機構において、前記ガイド溝には、前記スライダーのスライドをガイドするガイド部材が設けられていることが好ましい。また、本発明に係る携帯機器のスライド機構において、前記付勢手段が、トーションバネであり、このトーションバネの一端部が前記ベース部材に枢支されていると共に、その他端部が前記スライダーに枢支されていることが好ましい。また、本発明に係る携帯機器のスライド機構において、前記ガイド溝が２つ設けられ、これらガイド溝が前記ベース部材の両側部近傍に配置され、これらガイド溝にそれぞれ個別にスライダーがスライド係合し、前記付勢手段が２つのトーションバネからなり、これらトーションバネのうちの一方のトーションバネの一端部が前記ベース部材の略中央部に枢支されていると共にその他端部が前記スライダーの一方に枢支され、他方のトーションバネの一方のトーションバネの一端部が前記ベース部材の略中央部に枢支されていると共にその他端部が前記スライダーの他方に枢支されていることが好ましい。
【００１２】
また、本発明に係る携帯電話機は、前記の本発明に係る携帯機器のスライド機構を備えたことを特徴とする。この発明によれば、前述と同様に、ガイド溝にそれぞれ個別にスライダーを設け、ベース部材の一方の筐体側に付勢手段を設けたので、全体的な長さを短くすることができると共に、全体的な厚さを薄くすることができる。
【発明の効果】
【００１３】
以上説明したように本発明に係る携帯機器のスライド機構及び携帯電話機によれば、ベース部材と一方の筐体との間に付勢手段を設けたので、全体的な厚さを薄くすることができ、かつ、スライダーをガイド溝にそれぞれ個別に設けることにより、全体的な長さを短くすることができる。
【発明を実施するための最良の形態】
【００１４】
以下、本発明に係る携帯機器のスライド機構及び携帯電話機を添付図面に基づいて詳述する。
【００１５】
図１〜図５は本発明に係る携帯機器のスライド機構の一例を示す図である。本発明に係る携帯機器のスライド機構は、図１〜図５に示すように、携帯機器を構成する第１筐体１１と第２筐体１２を互いに重ね合わせた状態で相対的に直線方向に開閉可能にスライド係合させるものである。第１筐体１１と第２筐体１２のいずれか一方の筐体例えば第１筐体１１の上面を第１筐体１１及び前記第２筐体１２のいずれか他方の筐体例えば第２筐体１２で覆う閉成状態（図１参照。）と、第１筐体１１の上面を露出させる開成状態（図３参照。）とを形成するものである。
【００１６】
携帯機器としては、特に限定されず、例えば、携帯電話機、ザウルス（商標）等の携帯情報端末機、電卓、ポケットコンピュータ、携帯ゲーム機等が挙げられ、特に携帯電話機が好ましいものとして挙げられる。なお、本発明において携帯機器としては、その他、灰皿、ケース蓋等も含まれる。すなわち、２つの筐体を互いにスライドさせるものであれば特に限定されない。また、本実施の形態では、携帯機器として携帯電話機１０について説明するが、これに限定されるものではない。
【００１７】
第１筐体１１は、携帯電話機１０の送話部を構成するものであり、キーボード部１１ａやマイク部（図示せず）等を上面に有している。第１筐体１１は、細長の略矩形状に形成されている。第２筐体１２は、同じく携帯電話機１０の受話部を構成するものであり、ＬＣＤなどのディスプレイ部１２ａ、スピーカー部（図示せず）、カメラ部（図示せず）等を上面に有している。第２筐体１２は、第１筐体１１と略同じ細長の略矩形状に形成されている。なお、第１筐体１１及び第２筐体１２は、図１〜図４においていずれも想像線で記載してある。
【００１８】
これらの第１筐体１１と第２筐体１２とが互いに重ね合わされた閉成状態から例えば第１筐体１１に対して第２筐体１２をその長手方向の直線方向に相対的にスライド移動可能に第１筐体１１と第２筐体１２とがスライド機構１を介して連結されて携帯電話機１０が構成されている。すなわち、この携帯電話機１０は、第１筐体１１の上面に第２筐体１２の下面が互いに重ね合わされてキーボード部１１ａ等を閉塞すると共に、第１筐体１１の上面から第２筐体１２の下面がスライド移動してキーボード部１１ａ等を露出させることができるようになっている。
【００１９】
また、第１筐体１１の上面の両側部には、棚部１１ｃ、１１ｃが設けられている。また、第２筐体１２の下面の両側部には、棚部１１ｃ、１１ｃに摺接するスライド部１２ｃ、１２ｃが設けられている。これらの棚部１１ｃ、１１ｃ及びスライド部１２ｃ、１２ｃは、閉成状態のとき棚部１１ｃ、１１ｃの一方の端部とスライド部１２ｃ、１２ｃの一方の端部とが当接し、開成状態のとき棚部１１ｃ、１１ｃの他方の端部とスライド部１２ｃ、１２ｃの他方の端部とが当接するようにそれぞれ形成されていることが好ましい。尚、この棚部１１ｃ、１１ｃとスライド部１２ｃ、１２ｃは、省略しても良い。
【００２０】
本発明に係る携帯機器のスライド機構１は、第１筐体１１と第２筐体１２のいずれか一方の筐体例えば第１筐体１１に固着されるベース部材２と、第１筐体１１と第２筐体１２のいずれか他方の筐体例えば第２筐体１２に固着されるスライダー３と、ベース部材２と第１筐体１１との間に設けられる付勢手段４とで構成されていることが好ましい。
【００２１】
ベース部材２は、第１筐体１１の上面のキーボード部１１ａより上方に例えばねじやビス等により固着されている。ベース部材２は、細長の略矩形状に形成されている基板部２１と、基板部２１の両側部を基板部２１に対して直交する第１筐体１１側に略直角に折り曲げ、さらに先端部を内側に略直角に折り曲げた装着部２２とを有している。すなわち、ベース部材２は、例えばステンレス製の金属プレートの両側部を略コ字状に折り曲げてプレス加工することにより形成されている。また、ベース部材２は、合成樹脂等の成型品であってもよい。
【００２２】
装着部２２には、ベース部材２を第１筐体１１に取り付けるための固定孔２３が２つ以上例えば図示例では３つ設けられている。これら固定孔２３に、ネジ溝が設けられた固定シャフト２５が固定されてベース部材２が第１筐体１１に固着される。なお、固定孔２３の内壁には例えばネジ溝を設けて、ベース部材２を第１筐体１１に固着するようにしてもよい。
【００２３】
基板部２１すなわちベース部材２の幅は、第１筐体１１の幅より小さく、例えば若干小さな寸法で形成されている。基板部２１の両装着部２２、２２の近傍には、ガイド溝６がそれぞれ設けられている。これらガイド溝６は、基板部２１の長手方向（第１筐体１１と第２筐体１２が互いにスライドする直線方向）にその一端部近傍から他端部近傍までの箇所に貫通して設けられている。また、基板部２１の幅方向及び長手方向の略中央部には、付勢手段４の一端部を取り付けるための２つの取付部２４が設けられている。なお、本実施の形態では、ガイド溝６を２つ設けた場合について説明するがこれに限定されるものではない。
【００２４】
スライダー３は、ガイド溝６にそれぞれ個別にその長手方向にスライド可能に係合し得るものであり、第２筐体１２の下面の上方に例えばねじやビス等により固着されている。スライダー３は、ガイド溝６を貫通して第２筐体１２に取り付けられる摺動部３１と、その摺動部３１の第１筐体１１側に設けられるフランジ部３２とを有している。スライダー３は、例えばプレス加工により形成されている。フランジ部３２は、ガイド溝６の孔より大きな幅の略長円状に形成されている。フランジ部３２の表面（第１筐体１１側の表面）であってその長手方向の略中央部の表面には、付勢手段４の他端部を取り付けるための取付部３４が設けられている。
【００２５】
摺動部３１は、ガイド溝６を貫通する略長円状に形成されている。この摺動部３１の第２筐体１２に取り付けられる面（取付面ということがある。）は、平面状に形成されている。この取付面の両端部近傍には、スライダー３を第２筐体１２に取り付けるためのネジ溝を有する固定孔３３がそれぞれ設けられており、このスライダー３がベース部材２のガイド溝６と係合して第１筐体１１と第２筐体１２とが互いにその長手方向の直線方向に閉成状態と開成状態との間でスライド移動し得るようになっている。
【００２６】
すなわち、第１筐体１１の上面が第２筐体１２で覆われた状態が閉成状態である（図１参照）。このとき、スライダー３がベース部材２のガイド溝６の下方の端部に位置され、この閉成状態から、例えば、第１筐体１１に対して第２筐体１２を第１筐体１１の後端部側からその先端部側にスライドさせてスライダー３をガイド溝６の上方の端部に位置させて、第１筐体１１の上面のキーボード部１１ａ等が露出した状態が開成状態である（図３参照）。例えば、これら閉成状態と開成状態との間の中間（略中間を含む。）の状態が中立状態である（図２参照）。なお、ベース部材２を第１筐体１１に取り付けると共にスライダー３を第２筐体１２に取り付けて第１筐体１１と第２筐体１２とを互いにスライド可能に係合したが、ベース部材２を第２筐体に取り付けると共にスライダー３を第１筐体に取り付けて第１筐体と第２筐体とを互いにスライド可能に係合するようにしてもよい。
【００２７】
また、スライダー３は、ガイド溝６に直接スライド可能に係合させるようにしてもよいが、ガイド溝６にガイド部材９を設けてこのガイド部材９にスライダー３をスライド可能に係合させるようにしてもよい。ガイド部材９は、例えば、プラスチック等の合成樹脂により成型されるが、耐久性の観点からその他の材料、例えば、焼結金属品、プレス加工品等により形成されていてもよい。このように、ガイド溝６にベース部材２とは別体のガイド部材９を設けることにより、スライダー３の動作フィーリングの改善、及びガタの吸収を容易に図ることができる利点がある。
【００２８】
付勢手段４は、ベース部材２とスライダー３を互いに所定の開閉位置から開成方向又は閉成方向にスライド付勢するものである。この付勢手段４は、ベース部材２と第１筐体１１との間に設けられている。付勢手段４としては、ベース部材２とスライダー３を互いに所定の開閉位置から開成方向又は閉成方向にスライド付勢できれば特に限定されないが、例えば、トーションバネ４１等であることが好ましい。
【００２９】
トーションバネ４１は、スライダー３毎に２つ設けられている。これらのトーションバネ４１は、例えば、常に巻込み方向とは逆の方向へ弾性を付与されたもの、両端部を互いに離間する方向に付勢するものである。一方のトーションバネ４１の一端部は、ベース部材２の２つの取付部の任意の一方の取付部２４に枢支されていると共に、その他端部は、一方のスライダー３の取付部３４に枢支されている。また、他方のトーションバネ４１の一端部は、ベース部材２の他方の取付部２４に枢支されていると共に、その他端部は、他方のスライダー３の取付部３４に枢支されている。
【００３０】
トーションバネ４１の両端部の枢支は、特に限定されず、例えば、バネ枢支シャフト４５、４６等を用いてもよい。すなわち、トーションバネ４１の両端部をそれぞれ円形状や湾曲状、又は円弧状に形成して、バネ枢支シャフト４５、４６をベース部材２の取付部２４及びスライダー３の取付部３４にそれぞれ取り付け、これらバネ枢支シャフト４５、４６の外周にトーションバネ４１の両端部をそれぞれ回動可能に枢嵌させるようにしてもよい。また、トーションバネ４１の両端部をそれぞれトーションバネ４１に対して略直交する方向に折り曲げ、これら両端部をベース部材２の取付部２４及びスライダー３の取付部３４にそれぞれ挿入して枢支するようにしてもよい。
【００３１】
トーションバネ４１は、例えば、ベース部材２とスライダー３を互いに開閉位置に応じて巻込み部４１ａが移動し、ベース部材２とスライダー３が中立状態から閉成状態のときにはベース部材２とスライダー３を閉成方向（開成状態から閉成状態になる方向）にスライド付勢し、ベース部材２とスライダー３が中立状態から開成状態のときにはベース部材２とスライダー３を開成方向（閉成状態から開成状態になる方向）にスライド付勢するように動作するものである。
【００３２】
次に本発明に係るスライド機構１及び携帯電話機１０の作用を説明する。
【００３３】
携帯電話機１０が使用されていない状態では、図１に示すように、第１筐体１１と第２筐体１２が互いに重なり合った閉成状態である。このとき、２つのトーションバネ４１の付勢力によって、ベース部材２とスライダー３を閉成方向にスライド付勢されているので、第１筐体１１と第２筐体１２が閉成状態に保持されている。なお、この閉成状態をより確実に維持するために、ロック機構を設けるようにしてもよい。
【００３４】
この携帯電話機１０で通話等を行うには、例えば、第１筐体１１を左手で持って、この左手の親指で第２筐体１２の後端部を先端部側に押したり、または、第１筐体１１を左手で持つと共に第２筐体１２を右手で持ってこの第２筐体１２を後端部側から先端部側に押したりする（すなわち、第１筐体１１を固定した状態で第２筐体１２を開成方向にスライドさせる）。すると、トーションバネ４１の両端部間の長さが短くなる、すなわち、スライドさせるときの力がトーションバネ４１の両端部を介して巻込み部４１ａにかかりその巻込み部４１ａが荷重を受けてその付勢力に抗して縮む。
【００３５】
そして、図２に示すように、トーションバネ４１の両端部間の長さが最小になると、トーションバネ４１の巻込み部４１ａは最小に縮む。この状態が中立状態であり、この中立状態を過ぎると、トーションバネ４１の他端部は、ガイド溝６の中央部より先端部側に移動する。このとき、トーションバネ４１は、巻込み部４１ａが移動してトーションバネ４１の両端部が互いに離間する方向に付勢されるので、第１筐体１１と第２筐体１２が互いに開成方向に自動的にスライド移動して、図３に示すように、第１筐体１１と第２筐体１２が開成状態になり、その状態に保持される。これにより、第１筐体１１の上面に設けたキーボード部１１ａが露出するので、通話及びキーボード操作が可能となり、携帯電話機１０を用いて通話等を行える状態になる。なお、この開成状態をより確実に維持するために、ロック機構を設けるようにしてもよい。よって、閉成状態から開成状態にスライド移動させるときに半自動でスライド動作を行えることになる。
【００３６】
第２筐体１２を元の位置に戻すには、例えば、第１筐体１１を左手で持って、この左手の人指し指で第２筐体１２の先端部を後端部側に押したり、または、第１筐体１１を左手で持つと共に第２筐体１２を右手で持ってこの第２筐体１２を先端部側から後端部側に押したりする（すなわち、第１筐体１１を固定した状態で第２筐体１２を閉成方向にスライドさせる）。すると、トーションバネ４１の両端部間の長さが短くなり、中立状態を過ぎると、トーションバネ４１の他端部がガイド溝６の中央部より後端部側に移動すると共に、巻込み部４１ａが移動してトーションバネ４１の両端部が互いに離間する方向に付勢されるので、第１筐体１１と第２筐体１２が互いに閉成方向に自動的にスライド移動して、図１に示すように、第１筐体１１と第２筐体１２が閉成状態に保持される。よって、開成状態から閉成状態にスライド移動させるときに半自動でスライド動作を行えることになる。
【００３７】
このように、スライダー３は、ガイド溝６にそれぞれ個別に設けられているために、スライダー３の幅を短くすることができる。すなわち、１つのスライダーをベース部材の２つのガイド溝にスライド係合させると、スライダーの幅はベース部材の幅と同じか略同じになるので、強度の観点からスライダーの長さが長くなる。これに対して、ガイド溝６にそれぞれ個別にスライダー３を設けることで、スライダー３の幅を短くすることができる。その結果、スライダー３の長さ（スライド方向の長さ）を短くすることができ、全体的な長さを短くできる。
【００３８】
また、トーションバネ４１は、ベース部材２と第１筐体１１との間に設けられているために、全体的な厚さを薄くすることができる。すなわち、１つのスライダーをベース部材の２つのガイド溝にスライド係合させて、これらスライダーとベース部材との間に付勢手段を設けると、ベース部材と付勢手段の間及びスライダーと付勢手段の２つのクリアランスを設けなければならず、厚さが厚くなる。これに対して、ベース部材２と第１筐体１１との間にトーションバネ４１を設けることで、ベース部材２とトーションバネ４１の間のクリアランスのみを設ければよいので、全体的な厚さを薄くすることができる。
【００３９】
したがって、本発明に係る携帯機器のスライド機構１は、ベース部材２と第１筐体１１との間にトーションバネ４１を設け、ガイド溝６にそれぞれ個別にスライダー３を設けたことにより、全体的な厚さを薄くすることができると共に、全体的な長さを短くすることができる。
【産業上の利用可能性】
【００４０】
以上説明したように本発明に係る携帯機器のスライド機構は、ベース部材と一方の筐体との間に付勢手段を設けたので、全体的な厚さを薄くすることができ、かつ、スライダーをガイド溝にそれぞれ個別に設けることにより、全体的な長さを短くすることができるので、携帯端末の中でもとくに携帯電話機のスライド機構として好適に用いられるものである。
【図面の簡単な説明】
【００４１】
【図１】本発明に係る携帯機器のスライド機構の閉成状態を示す平面図である。
【図２】本発明に係る携帯機器のスライド機構の中間状態を示す平面図である。
【図３】本発明に係る携帯機器のスライド機構の開成状態を示す平面図である。
【図４】本発明に係る携帯機器のスライド機構の一例を示す概略断面図である。
【図５】本発明に係る携帯機器のスライド機構の一例を示す分解斜視図である。
【符号の説明】
【００４２】
１  スライド機構
２  ベース部材
３  スライダー
４  付勢手段
６  ガイド溝
９  ガイド部材
１０  携帯電話機
１１  第１筐体
１２  第２筐体
４１  トーションバネ
【図１】
2006270804.tif 000003
【図２】
2006270804.tif 000004
【図３】
2006270804.tif 000005
【図４】
2006270804.tif 000006
【図５】
2006270804.tif 000007